(57)【要約】【課題】椅子の肘掛け装置の使い勝手を向上させる。【手段】肘掛け装置７の昇降体２２には第１及び第２の支持体２６，２８を介して第３支持体３０が固定されている。第３支持体３０には支軸３５を介してロータ３２が回転自在に重なっており、ロータ３２に下向き突設したガイドピン５１が第３支持体３０のガイド溝５２に嵌まっている。ガイド溝５２は平面視円弧状でかつ最深部５２ａの両側は傾斜している。ロータ３２には肘当て受け３３が固定されており、肘当て受け３３に肘当て２３がスライド自在に取り付けられている。ロータ３２は、ばね４７による付勢作用とガイドピン５１とガイド溝５２とのガイド作用によって所定姿勢に戻り勝手になっている。肘当て２３は横長姿勢に保持されるように付勢されているため、腕を左右移動させてのキーボード操作やマウス操作が安定的かつ軽快に行える。【選択図】図１
2010051612.tif 000002
【特許請求の範囲】
【請求項１】
人が腰掛ける座と、平面視で細長い形状の肘当てと、前記肘当てがその長手方向にスライド自在かつ水平旋回自在に取り付けられた支持手段とを有しており、前記肘当てを、左右横長の姿勢が保持されるように支持手段に取り付けている、
肘掛け装置付き椅子。
【請求項２】
前記支持手段は、ばね力によって肘当てを横長姿勢に戻すリターン手段と、肘当てを縦長姿勢に保持するストッパー手段とを有しており、肘当てにある程度の旋回力を付与するとストッパー手段による回動停止状態が解除されるようになっている、
請求項１に記載した肘掛け装置付き椅子。
【請求項３】
更に、ばね手段に抗して後傾動する背もたれ有している一方、前記肘当ては、その一端部が座の上方に位置して他端部は座の外側に位置した横長姿勢に戻るように付勢されており、更に、肘当ては、前記一端部が前で他端部が後ろになっている縦長姿勢の時にストッパー手段によって戻り旋回しないように保持され、前記一端部が後ろで他端部が前の状態では縦長姿勢まで旋回できずに常に横長姿勢に戻るように付勢されている、
請求項２に記載した肘掛け装置付き椅子。
【発明の詳細な説明】
【技術分野】
【０００１】
本願発明は、肘掛け装置付き椅子に関するものである。
【背景技術】
【０００２】
肘掛け装置は、一般に椅子のオプション品として多用されている。そして、椅子用の肘掛け装置は腕を休息させるために設けていることが多いが、作業の補助具として機能させることも提案されている。特に多いのがパソコンのようなＯＡ機器を使用するに際しての負担軽減を狙ったものであり、その例として特許文献１には、平面視で細長い肘当てを肘支柱に水平旋回自在で長手方向に自在にスライドするように取り付けた構成が開示されている。
【特許文献１】特開２００２−３３６０７９号公報
【発明の開示】
【発明が解決しようとする課題】
【０００３】
さて、パソコンやＣＡＤの操作はキーボードの操作とマウス操作とに分けられるが、いずれにしても腕を水平方向にかなり大きく動かすという特性がある。また、キーボードと筆記作業との移行に際しても手首部は大きく左右移動する。
【０００４】
そして、本願発明者たちが観察したところ、キーボード操作にしてもマウス操作にしても、使用者から見て左右方向に水平移動させる頻度が高いことが分かった。特にデスクトップ型パソコンのキーボードはノート型に比べて左右寸法が大きいため、手をかなりの寸法を左右移動させている。キーボード操作と筆記作業との移行に際しても、手をかなりの寸法で左右移動させている。また、マウス操作については、マウスがホイール付きである場合は、カーソルの上下移動はホイールで行えることが多いため、特に左右移動させる頻度が高いと言える。
【０００５】
そして、特許文献１の肘当てをマウス操作に使用する場合、腕を左右移動させるためには肘当ては左右横長の姿勢にせねばならないが、何らかの弾みで肘当てが水平旋回すると一々横長の姿勢に戻さねばならないため面倒であり、また、僅かの外力で肘当てが水平旋回して安定性が悪いといった問題が懸念される。
【０００６】
本願発明は、このような現状を改善すべく成されたものである。
【課題を解決するための手段】
【０００７】
本願発明に係る椅子は、人が腰掛ける座と、平面視で細長い形状の肘当てと、前記肘当てがその長手方向にスライド自在かつ水平旋回自在に取り付けられた支持手段とを有しており、前記肘当てを、左右横長の姿勢が保持されるように支持手段に取り付けている。
【０００８】
請求項２の発明は、請求項１において、前記支持手段は、ばね力によって肘当てを横長姿勢に戻すリターン手段と、肘当てを縦長姿勢に保持するストッパー手段とを有しており、肘当てにある程度の旋回力を付与するとストッパー手段による回動停止状態が解除されるようになっている。
【０００９】
請求項３の発明は、請求項２において、更に、ばね手段に抗して後傾動する背もたれ有している一方、前記肘当ては、その一端部が座の上方に位置して他端部は座の外側に位置した横長姿勢に戻るように付勢されており、更に、肘当ては、前記一端部が前で他端部が後ろになっている縦長姿勢の時にストッパー手段によって戻り旋回しないように保持され、前記一端部が後ろで他端部が前の状態では縦長姿勢まで旋回できずに常に横長姿勢に戻るように付勢されている。
【発明の効果】
【００１０】
本願発明では、肘当ては旋回外力を掛けない限り横長姿勢に保持されるため、腕（手）を左右移動させて机上でのマウス操作等の作業を行うにおいて、人が一々肘当てを横長姿勢に戻す手間を無くすことができる。また、肘当てが過度に軽い力で旋回すると腕の僅かな動きに追従して肘当てが旋回してしまって、却って使い勝手が悪くなることがあるが、本願発明では肘当ては横長姿勢に保持されているため、過度に軽い力で肘当てが旋回することはなく、このため腕の左右移動を安定よく軽快に行える。
【００１１】
肘当てを横長姿勢に保持する手段としては、常に横長姿勢に戻り勝手となるように付勢されている態様と、横長姿勢と縦長姿勢との両方を選択的に保持できて、ある程度の力を掛けるとボタン操作やレバー操作無しで横長姿勢も縦長姿勢も解除できる態様とがある。更に後者の態様は、縦長姿勢から僅かに斜め姿勢に旋回させると横長姿勢に戻るように付勢されている態様と、横長姿勢から僅かに斜め姿勢に旋回させると縦長姿勢に戻るように付勢されている態様と、例えば斜め４５度程度の姿勢のような中間傾斜姿勢を境にして横長姿勢と縦長姿勢とに選択的に戻るように付勢されている態様とがある。請求項１の発明はいずれの態様もも含んでいるが、いずれにしても、横長姿勢の保持は弾性体を利用して行い、ボタンやレバーの操作を要することなくある程度の力を掛けると縦長姿勢に向けて旋回させ得るのが好ましい。
【００１２】
このように、レバー操作やボタン操作のような特段の操作なしで肘当ての姿勢を変え得る構成とすることにより、離着席に際しての煩わしさを解消できると共に、肘当てを平面視で斜め姿勢にしたり縦長姿勢にしたりして作業することも阻害はされない。もちろん、作業をせずに肘当てを縦長姿勢にして休息のために使用することも阻害されない。特に請求項２のように構成すると、肘当てを縦長姿勢に保持できるため、肘当てを縦長姿勢にして休息のために使用する場合に好適である。
【００１３】
さて、横長姿勢の肘当ては平面視で座を横切るように延びていると、その一部が着座者の腹部の前（座面の上方）に位置している。従って、人が着席・離席するに際して肘当てを縦長姿勢にしておくのが好ましいが、例えば着座した人が離席のために肘当てを水平旋回させる場合は、肘当ては、座の上方に入り込んでいる一端部が前になるように旋回させるのが普通である（逆向きに旋回させると肘当てが身体に当たってしまう。）。
【００１４】
そして、本願の請求項３のように構成すると、肘当ては人の自然な動きに基づく旋回によって縦長姿勢に保持されるのであり、このため、肘当ては人の離着席の邪魔になることなく縦長姿勢に保持される。
【発明を実施するための最良の形態】
【００１５】
次に、本願発明の実施形態を図面に基づいて説明する。図１では概略を示し、図２以下で具体的な構造を示している。以下、順次説明する。なお、以下の説明で方向を示すため「前後」「手前」「後ろ」「左右」といった文言を使用するが、これらの文言は着座した人の姿勢を基準にしている。「正面視」は着座者と対向した方向になる。
【００１６】
(1).実施形態の概要
まず、図１〜図５に基づいて椅子の概要を説明する。図１は模式図であり、（Ａ）は側面図で（Ｂ）は平面図である。図２全体の概略側面図、図３は部材の分離断面図、図４は座の下方部の平面図、図５は図４の V-V視断面図である。
【００１７】
本実施形態は事務用のいわゆる回転椅子に適用しており、椅子は、主要要素として、ガスシリンダより成る脚支柱１、座受け部２、座３、背もたれ４、背支柱５、バックサポート６、肘掛け装置７を有している。背支柱５と背もたれ４との間には、着座者の腰部が当てる部分を前向きに押すランバーサポート８が配置されており、このランバーサポート８は背支柱５で後ろから高さ調節可能に支持されている。
【００１８】
脚支柱１は脚装置の一部を構成するものであり、脚支柱１は、放射状に延びる複数本（一般に５本）の枝足を有する接地体の中心部に嵌着されている。座受け部２は、脚支柱１の上端に固定されたベース９と、ベース９に第１ピン（第１支軸）１０を介して前後スライド自在に取り付けられた第１中間金具１１と、第１中間金具１１の後端部に左右横長の第２ピン（第１支軸）１３で連結された第２中間金具１２とを有しており、座３はアウターシェル１４を介して第１中間金具１１と第２中間金具１２とで支持されている。座受け部２は更に、ベース８の下面に固定された下ブラケット１５を有しており、この下ブラケット１５にバックサポート６が固定されている。
【００１９】
第１ピン１０は、ベース９に形成した前後長手で水平姿勢の第１長穴１６にスライド自在に嵌まっており、かつ、第２ピン１３もベース９に形成した前後長手で水平姿勢の第２長穴１７にスライド自在に嵌まっている。このため、第１中間金具１１と第２中間金具１２及びこれで支持されたアウターシェル１４と座３とは前後スライド可能になっており、かつ、第２中間金具１２は第２ピン１３を中心にして傾動し得る。
【００２０】
アウターシェル１４はその前寄りの２／３ほどを占める第１部分１４ａと、後ろ寄りの１／３ほどを占める第２部分１４ｂとに区分されており（両部分は蝶番部を介して一体に繋がっている）、第１部分１４ａは第１中間金具１１に取り付けられて第２部分１４ｂは第２中間金具１２に取り付けられている。更に、座３も前寄り２／３程度の範囲を占める第１部分３ａと、後ろ寄りの１／３ほどを占める第２部分３ｂとからなっており、両部分３ａ，３ｂは、第２部分３ｂが第１部分３ａに対して後傾動するように屈曲可能に連続している。
【００２１】
そして座３の第１部分３ａはアウターシェル１４の第１部分１４ａに固定されて、座３の第２部分３ｂはアウターシェル１４の第２部分１４ｂに固定されている。従って、座３は全体として前後スライドしつつ、第２部分３ｂは第１部分３ａに対して側面視で後傾動し得る。なお、第１部分３ａと第２部分３ｂとの前後寸法の割合は、おおむね５：５〜７：３程度が好適と言える。
【００２２】
背もたれ４のうち上端寄りの部位の背面は背支柱５の上端部に固定されており、また、背もたれ４の下端には下向きストッパー１８ａが設けられており、下向きストッパー１８は、背支柱５に設けた横向きストッパー１８ｂに後ろから上下動可能に当接している。このため、ランバーサポート８を上下動させて背もたれ４の突出態様を変化させることが可能ならしめられている。
【００２３】
背支柱５のうち上端寄りの部位（背もたれ４のおおよそ上下中間部）にはガイド体１９が固定されており、このガイド体１９がバックサポート６の上端に設けたガイドピン２０に上下スライド自在に嵌まっている。従って、着座者が背もたれ４に凭れ掛かると、背もたれ４は後傾しつつ下降すると共に座３は全体として前進しつつ第２部分３ｂが後傾動する。
【００２４】
肘掛け装置７は、下ブラケット１５に固定された肘支柱２１と、肘支柱２１に高さ調節可能に取り付けられた昇降体２２と、昇降体２２の上端に取り付けられた肘当て２３とを有している。
【００２５】
肘支柱２１は、前向きに回動し切った状態では鉛直線に対して若干の角度θ１で前倒れしており、後傾し切った状態では、前倒れ角度θ１よりも大きい角度θ２で後傾（後ろ倒れ）するようになっている。全体の回動角度（θ１＋θ２）は２５°程度に設定している（２０〜３０°が好ましい。）。肘掛け装置７が前後に傾動（回動）することにより、着座した人は腕の姿勢を殆ど変えずにロッキングし得る。肘掛け装置７は、ばねが組み込まれた伸縮自在なアブソーバ２４で前傾方向に付勢されている。
【００２６】
肘当て２３は、肘掛け装置７に内蔵したリターン手段により、一端部が座３の上方に位置する横長姿勢に戻るように付勢されている。更に、肘当て２３は、前後方向に延びる非縦長姿勢ではその姿勢が保持されるように設定しているが、一端と他端とのいずれが前向きにおいても縦長姿勢が保持されるという訳ではなくて、安定的な横長姿勢において座３の上方に位置する一端部２３ａが手前で他端部２３ｂが後ろに向いた縦長姿勢でのみ、当該縦長姿勢が保持されるようになっている。
【００２７】
第１中間金具１１はベース９に上方から被さる正面視下向き開口コの字形になっている。例えば図３に示すように、ベース９は前板９ａを有しており、前板９ａにビスで固定された前部ばね受け７０と第１ピン１０で後ろから支持された後部ばね受け７１との間に、ロッキングばね７２を介在させている。
【００２８】
図５に示すように、第１中間金具１１の左右横幅はベース９の左右横幅よりもかなり大きい寸法になっている。他方、下ブラケット１５は上向き開口コの字状で第１中間金具１１と同じ程度の横幅寸法になっており、その内部の左右両端部にバックサポート６の水平部６ａが溶接されている。
【００２９】
第２中間金具１２は正面視下向き開口コの字の形態になっており、その左右側板が第１中間金具１１の外側に位置していて第２ピン１３が両者に貫通している。図５から理解できるように、アウターシェル１４は全体として正面視で上向きに開口した浅いトレー状の形態になっている。他方、座３は座インナーシェルの上面にクッションを張った構造になっており、座インナーシェルはアウターシェル１４に対応して前後に分離しており、これにより、座３の第２部分３ｂが第１部分３ａに対して後傾することが許容されている。座３の屈曲の中心線（折り目線）は、おおよそ着座者の尾てい骨が当たる箇所のあたりに設定している。クッションは全体にわたって連続している。座３は図示しない係合手段でアウターシェル１４に取り付けられている。
【００３０】
次に、肘支柱２１の取り付け構造を説明する。図４に示すように、肘支柱２１は内向き水平部２１ａを有しており、この水平部２１ａが、下ブラケット１５の側面に溶接によって固着したサイドブラケット１５ａにブッシュ７３を介して前後回動自在に取り付けられている。水平部２１ａのうちサイドブラケット１５ａの外側に位置した箇所には下向きアーム２１ｂが固着されており、下向きアーム２１ｂの下端とサイドブラケット１５ａとにアブソーバ２４がピン７４，７５を介して相対回動可能に連結されている。サイドブラケット１５ａには、アブソーバ２４を逃がすための穴（図示せず）が空いている。肘掛け装置７の昇降体２２には、ロックを解除して昇降可能とするためのボタンを設けている。
【００３１】
ロッキングに際して背もたれ４はその上下中間部を中心にして後傾動するが、３が全体的に前進するため、背もたれ４は小さい後傾角度であっても高い安楽性を得ることができる。また、ロッキングに際して上半身が後ろに大きく移動することはないため、ロッキング状態でも机上のモニターＭを見易い。
【００３２】
同様に、ロッキングしても人の上半身は殆ど後退動しないことにより、ロッキングの前後で身体と机天板Ｄとの距離は殆ど違いはないため、ロッキング状態でモニターＭを見やすいのみならず、ロッキング状態のままでキーボードＫの操作やｍの操作を継続して行うことができる。更に、ロッキング状態のままでキーボードｋの操作と筆記作業とにスムースに移行できる。逆に言うと、机上作業を容易に行える状態を保持しつつロッキング姿勢を採ることができる。
【００３３】
肘当て２３は平面視で細長い形状であり、横長姿勢では摩擦抵抗がない状態で左右方向（長手方向）に自在にスライドし得る。従って、机天板ＤでキーボードＫやママウスｍを操作するにおい、手を楽な状態で軽快に左右移動させ得る。キーボードＫの操作と筆記作業との移行も楽に行える。他方、肘当て２３は、スライド抵抗切り換え手段により、前後長手の姿勢ではスライドし難くなっている。従って、人の腕を安楽な状態で支持できる。
【００３４】
更に、肘当て２３は、肘掛け装置７に内蔵したリターン手段により、一端部２３ａが内側（座３の上方）に位置して他端部２３ｂが座３の外側に位置した横長姿勢に戻るように付勢されている。また、肘当て２３は、前後方向に延びる縦長姿勢ではその姿勢が保持されるように設定しているが、この場合は、一端部２３ａが前で他端部２３ｂが後ろのときに縦長姿勢が保持されて、一端部２３ａが後ろで他端部２３ｂが前のときには完全な縦長姿勢には至らず、かつ、に横長姿勢に戻り勝手となっている。
【００３５】
(2).肘掛け装置の基本構造・リターン手段
次に、図６以下の図面も参照して肘掛け装置の詳細を説明する。まず、図６〜図１１を参照して肘掛け装置７の基本構造とリターン手段とを説明する。図６のうち（Ａ）は肘当て２３を横長姿勢にした状態での側面図、（Ｂ）は肘当て２３を横長姿勢にした状態での平面図、（Ｃ）は肘当て２３を縦長姿勢にした状態での側面図、（Ｄ）は肘当て２３を縦長姿勢にした状態での平面図であり、図７は図６（Ａ）の VII-VII断面図、図８のうち（Ａ）は部材の分離正面図、（Ｂ）は（Ａ）のＢ−Ｂ視平面図、（Ｃ）は（Ａ）のＣ−Ｃ視平面図、（Ｄ）は（Ａ）のＤ−Ｄ視平面図である。
【００３６】
図６〜８に示すように、昇降体２２の上端には上板２５を介して正面視上向き開口コの字形の第１支持体２６が上向きの第１ビス２７で固定されており、第１支持体２６には、この第１支持体２６に内部に位置した下向き開口コの字形の第２支持体２８が横向きの第２ビス２９で固定されており、更に第２支持体２８の上面には円盤状の第３支持体３０が上向きの第３ビス３１で固定されている。第１支持体２６はその前後にフランジ２６ａが突出しており、フランジ２６ａが第１ビス２７で上板２５に固定されている。第２支持体２８にもその前後に突出したフランジ２８ａが形成されており、フランジ２８ａが第３支持体３０に第３ビス３１で固定されている。
【００３７】
第３支持体３０にはこれとほぼ同径の円形のロータ３２が回転可能に重なっており、ロータ３２には肘当て受け３３が下向きの第４ビス３３′で固定されている。肘当て受け３３は底板と２枚の側板３３ａとを有する上向き開口コの字の形態であり、底板の一端部と他端部とが第４ビス３３′でロータ３２に固定されており、２枚の側板３３ａの外面には水平状の軸心周りに回転する２個ずつのガイドローラ３４を取り付けられている。
【００３８】
肘当て２３は肘当て受け３３にスライド自在に取り付けられており、従って、ロータ３２と肘当て受け３３とは第３支持体３０の軸心周りに水平旋回する。ロータ３２には筒状の上向きボス部３２ａが形成されており、上向きボス部３２ａは肘当て受け３３に下方から嵌まっている。なお、リターン手段において、第３支持体３０は固定ガイド体の一例であり、ロータ３２は可動ガイド体の一例である。
【００３９】
肘受け３３は、肘当て２３の長手軸線方向から見て上向き開口コの字の姿勢になっており、肘当て２３は、横長姿勢ではガイドローラ３４の案内作用によって殆ど摩擦無しでスライドし得る。他方、縦長姿勢ではスライドに摩擦抵抗が生じてスライドし難い状態になっている（その詳細は後述する。）。そして、肘当て２３の水平旋回を許容するため、肘当て受け３３とロータ３２と第３支持体３０と第２支持体２８とには支軸３５が貫通している。支軸３５の上端には頭３５ａが形成されている。
【００４０】
図１１は図６（Ｂ）の XI-XI視断面図であり、この図に示すように、肘当て２３は、下向き開口の上部材３８と上向き開口の下部材３７とを有しており、両者は互いに重なり合っている。図面では上部材３８は厚く描いているが、実際には軟質で可撓性を有する薄いシート状になっている。そして、下部材３７の底部には肘当て受け３３が下方から嵌まる窓穴３９が長手方向に沿って長く延びており、これにより、肘当て２３が肘当て受け３３に対してスライドすることが許容されている。
【００４１】
更に、肘当て２３の内部には、肘当て受け３３を上側から抱き込む断面Ｃ形の第１ガイド体４０と、肘当て受け３３の内部に位置した第２ガイド体４１とが長手方向に延びるように配置されている。第１ガイド体４０は補助部材４２の下面に固定されており、補助部材４２は上部材に固定されている。補助部材４２の上面は横断面で突型に形成されており、補助部材４２と上部材３８との間の空間にウレタンのような軟質クッション材２３′を嵌め込んでいる。上部材３８の外周部には内向きの段部３８ａを形成しており、段部３８ａが補助部材４２と下部材３７とで挟み固定されている。
【００４２】
また、第１ガイド体４０はガイドローラ３４に下方から近接する下リップ４０ａを有しており、このため、肘当て２３は倒れ不能で安定した姿勢でスライドし得る。他方、第２ガイド体４１は、肘当て２３の中心線に沿って延びる補強板４１ａと、その下端に設けた下向きこの字状の規制部４１ｂとを有しており、規制部４１ｂの内部に支軸３５の頭３５ａが配置されている。
【００４３】
図７や図１１に示すように、第３支持体３０の下面には、第２支持体２８に入り込む下向きボス部３０ａが形成されている一方、支軸３５は第２支持体２８の内部まで入り込んでおり、支軸３５の下部に下フランジを有するばね受け４６がビス４８で固定れている。ばね受け４６と第２支持体２８との間にばね（圧縮コイルばね）４７を介在させている。従って、支軸３５はばね４７で常に下向きに付勢されている。第２支持体２８は平面視で角形（四角形）である一方、ばね受け４６のフランジも角形であり、このため、ばね受け４６及び支軸３５は第２支持体２８に対して回転不能に保持されている（クリアラスによって僅かに回転し得る。）。
【００４４】
第３支持体３０とロータ３２とはリターン手段の中核を成すものであり、ロータ３２の下面には、その軸心を挟んで両側に位置した一対のガイドピン５１が設けられている一方、第３支持体３０には、ガイドピン５１が嵌まる一対の上向き開口のガイド溝５２が形成されている。図９は右の肘掛け装置を第３支持体３０の箇所から見た平面図であり、この図９及び図８（Ｄ）に示すように、ガイド溝５２は支軸３５の軸心周りに１８０°近い範囲で広がっている。
【００４５】
また、図１０（Ｂ）はガイド溝５２を周方向に切断した模式断面図であるが、この図に示すように、ガイド溝５２は、略中間部は最も低い最深部５２ａとなって両端にいくほど高さが高くなる略Ｖ形の形態を成している。かつ、ガイド溝５２の両端のうち平面視で時計回り方向の前方側に位置した一端部は、請求項に記載したストッパー手段の一例として平坦部５２ｂになっており、ガイド溝５２の両端のうち平面視で反時計回り方向の前方側に位置した一端部は単なる傾斜面になっている。
【００４６】
本実施形態では、肘当て２３の下方の部材、すなわち、肘支柱２１と昇降体２２と第１〜第３の支持体２６，２８，３０とロータ３２と肘当て受け３３とが全体として請求項に記載した支持手段を構成している。
【００４７】
(3).リターン手段の作用
次に、図１０（Ａ）も含めてリターン手段の作用を説明する。例えば図７に示すように、第３支持体３０のガイド溝５２は正面視でおおよそ左右両側に振り分けた状態に配置されており、従って、両ガイド溝５２の最新部５２ａは支軸３５の軸心を挟んで左右両側に位置している。そして、ガイドピン５１はガイド溝５２の最深部５２ａに位置しているが、この状態では、支軸３５は第１支持体２８の座部４９に当接しており、このためロータ３２及び肘当て２３をその姿勢が安定している。この状態で肘当て２３は左右横長の姿勢になっている。すなわち、肘当て２３は横長姿勢で安定している。
【００４８】
そして、肘当て２３をいずれかの方向に水平旋回させると、ロータ３２も肘当て２３と一緒に旋回（回転）し、すると、ガイドピン５１はガイド溝５２の底面に当てて上昇しながら水平移動する。すると、肘当て２３も全体として上昇することにより、図１０（Ａ）に示すように、支軸３５が第２ガイド体４１を介して吊り上げられ、このため、支軸３５は座部４９から離反する。
【００４９】
従って、支軸３５はばね４７で下向きに移動し勝手になっており、旋回の途中で肘当て２３に対する外力が解除されると、支軸３５は下向きに付勢されているため、ロータ３２は、ガイドピン５１がガイド溝５２における傾斜面に当接していることによるガイド作用で下降しながら戻り回動し、そして、ガイドピン５１がガイド溝５２の最深部５２ａに移行すると（肘当て２３が横長姿勢になると）、ばね４７の力は作用せずに安定する。
【００５０】
また、着座者の右側の肘当て２３を時計周り方向に正解させて肘当て２３が縦長姿勢になると、ガイドピン５１はガイド溝５２の一端の平坦部に移行し、このため肘当て２３は縦長姿勢に保持される。従って、人の腕は肘当て２３で安楽な状態に支持される。肘当て２３は、若干の外力を掛けることで横長姿勢に向けて旋回させ得る。右肘掛け装置７において肘当て２３を反時計周りに回動させ切った場合は、図９に傾斜した一点差線で示すように縦長姿勢までは移行せず、かつ、外力が解除されると肘当て２３は戻り回動する。左側の肘掛け装置７では、肘当て２３は、反時計周り方向に旋回させると縦長姿勢になる。
【００５１】
このように、肘当て２３は一端部２３ａが前向きのときに縦長姿勢に保持されるのであるが、これは、人が離席するに際して肘当て２３を縦長姿勢に保持しやすくするためである。もとより、往復旋回方式でなくて、肘当て２３が時計周りと反時計周りとのいずれの方向にもぐるぐる旋回する方式を採用して、旋回方向に関係なく縦長姿勢に保持可能とすることも可能である。
【００５２】
図１０（Ｂ）に変形例として示すように、ガイド溝５２の一端部に凹所５２ｃを形成しても良いのであり、このようにすると、ガイドピン５１は一端上昇しないと凹所５２ｃから離脱できず、凹所５２ｃからの離脱のためにやや強い力が必要になるため、肘当て２３を縦長姿勢に保持する機能がより強くなる。
【００５３】
(4).スライド抵抗切り換え手段
次に、従前の図に加えて図１２以下の図面も参照してスライド抵抗切り換え手段を説明する。図１２は横長姿勢での断面図であるが、（ａ）の部分の正面方向からの断面図であり、（ｂ）の部分は側面方向からの断面図である。図１３は肘当て２３の内部を示す一部破断平面図、図１４は図１３の XIV-XIV視断面図、図１５のうち（Ａ）は図１３の XVA-XVA視断面図図、（Ｂ）は第１ガイド体４０の端部の断面図である。
【００５４】
図１５に示すように、第１ガイド体４０の端部には、ガイドローラ３４に当接して肘当て２３のスライドストロークを規制するストッパー５５がビス止め等の手段で固定されている。ストッパー５５は、少なくともガイドローラ３４に当たる部分をウレタンゴム等の軟質材で構成するのが好ましい。補強部材４２は上部材３７のボス部５６にビス５７で固定されている。
【００５５】
図１３及び図１５（Ａ）に示すように、第２ガイド体４１の長手端部には水平状の端板４１ｃが一体に形成されており、端板４１ｃは下部材３７に形成した突部３７ａに上から載っている。そして、補助部材４２の端部と第１ガイド体４０の端部とを第２ガイド体４１の端板４１ｃに重ね合わせ、下部座３７に下方から挿通した第６ビス５８を補助部材４２にねじ込んでおり、これにより、各部材を一体に共締めしている。なお、図１５（Ａ）では第１ガイド体４０の端部を上部材３８の端部部３８ａに重ねているが、段部３８ａには補助部材４２の端部のみを重ねてもよい。
【００５６】
第２ガイド体４１は支軸３５と協同してスライド抵抗切り換え手段を構成するものであり、スライド抵抗切り換え手段の中核として、既述のとおり、支軸３５の頭３５ａが嵌まるコの字型の規制部４１ｂを有している。そして、例えば図８（Ｂ）に示すように、支持句３５の頭３５ａは非円形の一例として平面視小判型に形成されており、頭３５ａにこれと相似形のキャップ３４ｂを嵌着している。キャップはゴム質であり、多少は圧縮変形し得ると共に摩擦係数も大きい。キャップ３５ｂの長手方向寸法は第２ガイド体４１における規制部４１ｂの溝幅寸法よりも若干大きく、キャップ３５ｂの幅手方向寸法は第２ガイド体４１における規制部４１ｂの溝幅寸法よりも小さい寸法になっている。
【００５７】
そして、肘当て２３が横長の姿勢では、例えば図７や図１２に示すように、支軸３５の頭３５ａのキャップと第２ガイド体４１における規制部４１ｂの内側面との間には隙間が空いており、従って、肘当て２３はガイドローラ３４に対する第１ガイド体４０のガイド作用によって摩擦抵抗無しでスライドする。これにより、キーボードＫの操作やマウスｍの操作を楽にかつ軽快に行える。
【００５８】
他方、肘当て２３が縦長姿勢に保持されると、図１１に示すように、支軸３５の頭３５ａが第２ガイド体４１における規制部４１ｂを横切る状態になり、このため、支軸３５のキャップ３５ｂが規制部４１ｂの内面に突っ張った状態になる。これにより、肘当て２３は、縦長姿勢にすると前後スライドし難い状態になっている。従って、人が腕を動かさない安楽状態を取るにおいて、肘当て２３が簡単にスライドすることによる不快感はない。また、椅子を移動させるにおいて肘当て２３がスライドする不具合も防止できる。
【００５９】
支軸３５の頭３５ａと第２支持体４２の規制部４１ｂとの間の摩擦の大きさは必要に応じて任意に設定できる。ある程度の力を掛けるとスライドさせる態様とすることも可能であるし、殆ど（又は全く）スライドしない態様とすることも可能である。なお、第２ガイド体４１を断面Ｃ形としても良い。
【００６０】
(5).変形例
本実施形態では肘当て２３は横長姿勢に戻り勝手になっているが、横長姿勢は保持しつつ、横長姿勢から傾斜させると縦長姿勢に戻り勝手となるように設定することも可能である。これは、ロータ３２と第３支持体３０との姿勢を９０°水平回転させることで簡単に実現できる。また、肘当て２３は略９０度の範囲で水平旋回するように設定すひることも可能である。これは、第３支持体３０におけるガイド溝５２の伸び範囲を略９０度に設定することで簡単に実現できる。
【００６１】
例えば横長姿勢からの旋回角度が１０°程度の範囲では横長姿勢に戻って、横長姿勢からの旋回角度が１０度を超えると縦長姿勢に戻るというように、所定の傾斜姿勢を境にして横長姿勢と縦長姿勢とに選択的に戻り勝手になるように構成することも可能である。
【００６２】
(6).その他
本願発明は上記の実施形態の他にも様々に具体化できる。リターン手段及びストッパー手段も、上記の実施形態の他の様々の機構を採用できる。例えばリターン機構としては、ロータをねじりばねで原姿勢に復帰するよう付勢することも可能である。ばねを使用する場合、ぜんまいばねや引っ張りばねも使用できる。端面カム機構を採用することも可能であり、また、部材を動かす動力源としては磁石の吸着力を利用することも可能である。ストッパー手段も、例えばボールキャッチのようなコイルばね式係止手段や板ばねを使用した係止手段など、様々の機構を採用できる。
【図面の簡単な説明】
【００６３】
【図１】椅子の概略を図す図で、（Ａ）は模式的な側面図、（Ｂ）は平面図である。
【図２】椅子の全体の概略側面図である。
【図３】座受け部の部材の分離断面図である。
【図４】座の下方部の平面図である。
【図５】図４の V-V視断面図である。
【図６】（Ａ）は肘当てを横長姿勢にした状態での側面図、（Ｂ）は肘当てを横長姿勢にした状態での平面図、（Ｃ）は肘当てを縦長姿勢にした状態での側面図、（Ｄ）は肘当て２３を縦長姿勢にした状態での平面図である。
【図７】図６（Ａ）の VII-VII断面図である。
【図８】（Ａ）は部材の分離正面図、（Ｂ）は（Ａ）のＢ−Ｂ視平面図、（Ｃ）は（Ａ）のＣ−Ｃ視平面図、（Ｄ）は（Ａ）のＤ−Ｄ視平面図である。
【図９】右の肘掛け装置を第３支持体の箇所から見た平面図である。
【図１０】（Ａ）は肘当ての旋回途中での縦断面図、（Ｂ）はガイド溝の断面図、（Ｃ）はガイド溝の別例図である。
【図１１】図６（Ｂ）の VII-VII断面図図である。
【図１２】肘当てを縦長にした状態での断面図である。
【図１３】肘当ての内部を示す一部破断平面図である。
【図１４】図１３の XIV-XIV視断面図である。
【図１５】（Ａ）は図１３の XV-XV視断面図、（Ｂ）は第１ガイド体の端部の断面図である。
【符号の説明】
【００６４】
３  座
４  背もたれ
７  肘掛け装置
２２  昇降体
２３  肘当て
２６  第１支持体
２８  第２支持体
３０  リターン手段を構成する第３支持体
３２  リターン手段を構成するロータ
３３  肘当て受け
３４  ガイドローラ
３５  リターン手段を兼用する支軸
４１  第１ガイド体
４２  スライド抵抗切り換え手段を構成する第２ガイド体
４７  ばね
５１  リターン手段を構成するガイドピン
５２  リターン手段を構成するガイド溝
５２ｂ  ストッパー手段を構成する平坦部
【図１】
2010051612.tif 000003
【図２】
2010051612.tif 000004
【図３】
2010051612.tif 000005
【図４】
2010051612.tif 000006
【図５】
2010051612.tif 000007
【図６】
2010051612.tif 000008
【図７】
2010051612.tif 000009
【図８】
2010051612.tif 000010
【図９】
2010051612.tif 000011
【図１０】
2010051612.tif 000012
【図１１】
2010051612.tif 000013
【図１２】
2010051612.tif 000014
【図１３】
2010051612.tif 000015
【図１４】
2010051612.tif 000016
【図１５】
2010051612.tif 000017